(57)【要約】【課題】空気や水の流通を促進して芝生等の植物の成長を改善できる植物保護踏盤を提供する。【解決手段】多角形状に形成された側壁枠１内に、頂部２ａが面を有する各筒形台部２を基部３上に起立させると共に、各筒形台部２を規則的に配置し、各筒形台部２同士を接続片４及び接続リブ５により連結し、接続片４と基部３間に開口６を形成し、各筒形台部２の頂部２ａ又は／及び側部２ｂ、又は、各筒形台部２の頂部２ａから側部２ｂに亘り、貫通孔２ｄを形成した構成の植物保護踏盤１０とする。貫通孔２ｄを通じて空気や水が流通し、筒形台部２の相互間に充填された客土に空気や水が充分供給されるので、植物の根の呼吸や養分吸収が良くなり植物の成長が旺盛になる。【選択図】図１
2007029051.tif 000002
【特許請求の範囲】
【請求項１】
多角形状に形成された側壁枠内に、頂部が面を有する各筒形台部を基部上に起立させると共に、各筒形台部を規則的に配置し、各筒形台部同士を接続片及び接続リブにより連結し、接続片と基部間に開口を形成し、各筒形台部の頂部又は／及び側部、又は、各筒形台部の頂部から側部に亘り、貫通孔を形成したことを特徴とする植物保護踏盤。
【請求項２】
貫通孔がスリット状の孔である請求項１に記載の植物保護踏盤。
【発明の詳細な説明】
【技術分野】
【０００１】
本発明は、公園、野外キャンプ場、広場、駐車場などに植生されている芝生等の植物を、人の歩行、自動車の走行、駐車などから保護する植物保護踏盤に関する。
【背景技術】
【０００２】
従来、この種の植物保護踏盤として、交差するように枠組みして植物延出口を形成した連設枠部の交差箇所に、頂部が閉塞され下端が開口する筒状の蒸発水還元部を設け、その頂部を水平な踏面としたものが知られている（特許文献１）。
【０００３】
上記特許文献１の植物保護踏盤は、地面から蒸発する水分を頂部が閉塞された筒状の蒸発水還元部に溜めて水滴となし、地面に滴下させて地中に水分を還元、補給できるものであるが、その反面、この蒸発水還元部によって水や空気の流通が妨げられるため、芝生の成長があまり良くないという問題があった。
【特許文献１】特許第３４３５６７２号公報
【発明の開示】
【発明が解決しようとする課題】
【０００４】
本発明は上記の問題に鑑みてなされたものであって、空気や水の流通を促進して芝生等の植物の成長を改善できる植物保護踏盤を提供することを解決すべき課題としている。
【課題を解決するための手段】
【０００５】
上記課題を解決するため、本発明の植物保護踏盤は、多角形状に形成された側壁枠内に、頂部が面を有する各筒形台部を基部上に起立させると共に、各筒形台部を規則的に配置し、各筒形台部同士を接続片及び接続リブにより連結し、接続片と基部間に開口を形成し、各筒形台部の頂部又は／及び側部、又は、各筒形台部の頂部から側部に亘り、貫通孔を形成したことを特徴とするものである。
本発明の植物保護踏盤においては、貫通孔がスリット状の孔であることが好ましい。
【発明の効果】
【０００６】
本発明の植物保護踏盤は、縦横に並べて地面に敷設され、各筒形台部の相互間に客土が充填され、その上に芝生等の植物が植えつけられる。このようにすると、歩行者や自動車の荷重が各筒形台部で支えられるため、芝生等の根元が踏み固められることがない。しかも、各筒形台部の頂部又は／及び側部、又は、各筒形台部の頂部から側部に亘って形成された貫通孔を通じて、空気や水が流通するため、芝生等の根の呼吸や養分の吸収が良くなり、旺盛に成長するようになる。特に貫通孔がスリット状の孔であると、空気や水の流通が更に良くなる利点がある。
【発明を実施するための最良の形態】
【０００７】
以下、図面を参照して本発明の具体的な実施形態を詳述する。
【０００８】
図１は本発明の一実施形態に係る植物保護踏盤の平面図、図２は図１のＡ−Ａ線断面図、図３は同植物保護踏盤の拡大部分斜視図、図４は同植物保護踏盤の使用状態説明図である。
【０００９】
この植物保護踏盤１０は、図１〜図３に示すように、正四角形に形成された側壁枠１の内部に、頂部が面を有する円筒形の筒形台部２を円形ドーナツ板状の基部３の上に起立させて千鳥格子状に規則的に配置すると共に、筒形台部２同士を接続片４及び接続リブ５によって連結し、接続片５と基部３間に開口６を形成した全体構造を有する。側壁枠１に沿った筒形台部２同士を連結する接続片４は、側壁枠１の下端から内側に向かって直角に一体形成されており、これによって植物保護踏盤１０の四周縁の剛性が高められている。
【００１０】
各筒形台部２は、その頂部２ａが円形の面に形成されており、その側部２ｂが下広がりのテーパー面に形成されている。そして、この円筒状の筒形台部２の側部２ｂには、前記の接続リブ５に連なる直角三角形状の補強リブ２ｃが９０°の間隔を開けて４本形成されており、この補強リブ２ｃによって筒形台部２の耐荷重強度が高められている。
【００１１】
更に、各筒形台部２には、その頂部２ａから側部２ｂに亘るスリット状の二つの貫通孔２ｄ，２ｄが相対向して形成されており、この貫通孔２ｄ，２ｄを通じて空気や水が流通できるようになっている。貫通孔２ｄは、丸孔でも角孔でも長孔でもよく、また、筒形台部２の頂部２ａ又は／及び側部２ｂに形成してもよいが、この実施形態のように頂部２ａから側部２ｂに亘るスリット状の孔に形成されていると、空気や水の流通が一層良くなり、成形もし易いので好ましい。
【００１２】
筒形台部２は、この実施形態のような円筒状に限定されるものではなく、四角筒状や多角筒状の筒形台部としてもよい。そして、基部３も円形ドーナツ板状に限定されることなく、筒形台形２の形状に応じて四角形ドーナツ板状、多角形ドーナツ板状としてもよい。また、側壁枠１も正四角形に限定されることなく、正六角形などの多角形に形成してもよい。更に、筒形台部２の規則的な配置も千鳥格子状に限定されるものではなく、縦横の格子状の配置や同心円状の配置など、種々の規則的配置とすることができる。
【００１３】
この植物保護踏盤の各部の寸法は特に限定されないが、その一例を示すと、筒形台部２の高さを７０ｍｍ程度、側壁枠１の一辺の長さを５３０ｍｍ程度、側壁枠１及び接続リブ５の高さを１８ｍｍ程度、筒形台部２の頂部２ａ及び側部２ｂの肉厚並びに側壁枠１及び接続リブ５及び補強リブ２ｃの肉厚を４ｍｍ程度、スリット状の貫通孔２ｄの幅を４ｍｍ程度、筒形台部２の頂部２ａの直径（外径）を２０ｍｍ程度、筒形台部２の下端の直径（外径）を２６ｍｍ程度、筒形台部２の相互間隔（前後左右の間隔）を７５ｍｍ程度、基部３の外径を３８ｍｍ程度、連結片４の幅を１６ｍｍ程度、基部３及び連結片４の肉厚を２．５ｍｍ程度に設定するのが適当である。
【００１４】
この植物保護踏盤１０の材料樹脂としては、ポリプロピレン、ポリエチレン、ポリ塩化ビニル、ＡＢＳ、ＡＡＳなどが好適であり、特に、これらの再生樹脂で射出成形された植物保護踏盤１０は、資源のリサイクルの観点から極めて好ましい。
【００１５】
以上のような構成の植物保護踏盤１０は、図４に示すように、縦横に並べて各筒形台部２の頂部２ａが周囲の地面と略面一になるように敷設され、各筒形台部２の相互間に客土７が充填され、その上に芝生等の植物８が植えつけられる。このようにすると、歩行者や自動車の荷重が各筒形台部２で支えられるため、芝生等の植物８の根元が踏み固められることなく保護される。しかも、各筒形台部２の頂部２ａから側部２ｂに亘って形成された貫通孔２ｄを通じて、空気や水が流通し、客土７や該踏盤１０の下側の地中に空気や水が充分供給されるため、芝生等の植物８の根の呼吸や養分の吸収が良くなり、植物８の成長が旺盛になる。
【００１６】
尚、植物保護踏盤７の下側には、砂層や砕石層を設けることによって、クッション性を付与したり排水性を高めたりすることが好ましい。
【図面の簡単な説明】
【００１７】
【図１】本発明の一実施形態に係る植物保護踏盤の平面図である。
【図２】図１のＡ−Ａ線断面図である。
【図３】同植物保護踏盤の拡大部分斜視図である。
【図４】同植物保護踏盤の使用状態説明図である。
【符号の説明】
【００１８】
１    側壁枠
２    筒形台部
３    基部
４    接続片
５    接続リブ
６    開口
７    客土
８    植物
【図１】
2007029051.tif 000003
【図２】
2007029051.tif 000004
【図３】
2007029051.tif 000005
【図４】
2007029051.tif 000006